(57)【要約】    【課題】  リベット等を有する表面へのシート貼着を、きれいに、確実に、かつ簡易になすことのできる、シート貼着用具を提供すること。    【解決手段】  本シート貼着用具１１は、その本体が開口端部１１１を有する円筒状または円柱状であり、該開口端部１１１はその断面が内周方向に向かってテーパ状に形成されていることを、主たる構成とする。該開口端部１１１には、処理されるシートの破れを防止するためのフェルト等の柔軟性部材を覆設することもできる。また空気だまりを除去するための針を備えることもできる。【選択図】  図１ 
2005306485.tif 000002
【特許請求の範囲】
【請求項１】
リベット等の凸部を有する表面にシートを貼着する際に用いるシート貼着用具であって、該用具の本体は開口端部を有する円筒状または円柱状であり、該開口端部はその断面が内周方向に向かってテーパ状に形成されていることを特徴とする、シート貼着用具。
【請求項２】
前記開口端部のテーパ状形状に係る勾配は、０°を超え８０°以下であることを特徴とする、請求項１に記載のシート貼着用具。
【請求項３】
前記開口端部のテーパ状形状に係る勾配は、５°を超え６０°以下であることを特徴とする、請求項１に記載のシート貼着用具。
【請求項４】
前記開口端部のテーパ状形状に係る勾配は、１０°を超え４５°以下であることを特徴とする、請求項１に記載のシート貼着用具。
【請求項５】
前記開口端部の最先端部の断面形状は、これが接するシートの破れ・裂けを防止し得るよう、略円弧状に形成されていることを特徴とする、請求項１ないし４のいずれかに記載のシート貼着用具。
【請求項６】
前記開口端部には、これが接するシートの破れ・裂けを防止し得るよう、フェルト等の柔軟性部材が覆設されていることを特徴とする、請求項１ないし４のいずれかに記載のシート貼着用具。
【請求項７】
貼着されたシートに発生した空気だまりを、突くことによって除去し得る針を備えていることを特徴とする、請求項１ないし６のいずれかに記載のシート貼着用具。
【請求項８】
前記針は、前記本体に内蔵されていることを特徴とする、請求項７に記載のシート貼着用具。
【請求項９】
貼着されたシートに発生した空気だまりを、突くことによって除去し得る針を装着できるよう、該針を着脱自在に填め込むことのできる穴部の設けられた針用台座部を備えていることを特徴とする、請求項１ないし６のいずれかに記載のシート貼着用具。
【発明の詳細な説明】
【技術分野】
【０００１】
本発明はシート貼着用具に係り、特に、リベットや他の凸状形状を有する表面へのシート貼着を、きれいに、確実に、かつ簡易になすことのできる、シート貼着用具に関する。
【背景技術】
【０００２】
ポスター、パネル面、ステッカー、その他の貼着用のシートを、被貼着体に貼着する場合、貼着表面にリベット等の凸部があると、きれいな仕上がりになりにくい。かかる不都合を解消するために、従来、若干の対策がとられている。
【０００３】
図１５は、従来の対策の一例たる、リベットブラシの斜視図である。該リベットブラシ７０は、釘のへこみや凹凸のある板等にシートを貼る際の凹凸を修正するためのものであり、要するに、先端のブラシ部分で該凸部をこすることによって、被貼着面から遊離していたシートを被貼着面に接着させ、凹凸解消の効果を得るとするものである。
【０００４】
【非特許文献１】ＵＲＬ：http://pcan.co.jp/goods/use-tools/main_06.htm  、開設者：株式会社プロデュースキャン、ページの名称：便利グッズ、検索日：平成１６年３月１７日
【発明の開示】
【発明が解決しようとする課題】
【０００５】
しかし、リベットブラシを用いてもなお、次のような問題点がある。
（ａ）リベットブラシでは、リベット周端の貼りが完全にはなされない。
図１６は、リベットブラシの作用を示す説明図である。図示するようにリベットブラシでは、ブラシ部分７５には可撓性のもしくは柔軟性の材料が用いられるため、リベット９０とこれに貼着されるシート８０との間に隙間Ｓが形成されてしまう。リベット周辺に隙間が残ると、そこでシートが破れてしまいやすく、商品価値が落ちる。
【０００６】
（ｂ）リベットブラシでは、堅い先端でシートをこする必要があるため、シートに傷を付けることが多い。
（ｃ）リベットブラシでは、リベット打ち込み部分の周辺に生じた微妙なへこみ部分に対するきれいな貼着が容易ではない。
【０００７】
（ｄ）リベットブラシによる貼着作用は、可撓性を有するブラシ先端部によるため、数度程度のなで操作を繰り返さなくてはならず、時間と手間がかかる。
（ｅ）そしてなお、小さな空気だまりやシワが残ることがある。
（ｆ）リベットブラシでは、リベット部分を何十個も連続して処理すると腕が相当疲れてくるため、大量処理には向かない。
【０００８】
（ｇ）リベットブラシでは、ブラシで押さえることにより、被処理部の先端がリベット外側と逃げて広がり、かえってリベット周辺に空気だまりができてしまう。
（ｈ）リベットブラシでは、工業用ドライヤを用いシートを予め暖めて貼着を行う場合、熱のために貼り方が雑になり、しわなどが残るおそれがある。
【０００９】
本発明が解決しようとする課題は、上記従来技術の問題点を除き、リベットや他の凸状形状を有する表面へのシート貼着を、きれいに、確実に、かつ簡易になすことのできる、シート貼着用具を提供することである。
【課題を解決するための手段】
【００１０】
本願発明者は上記課題について検討した結果、その解決手段たる本発明に至った。すなわち、上記課題を解決するための手段として本願で特許請求される発明は、以下のとおりである。
（１）  リベット等の凸部を有する表面にシートを貼着する際に用いるシート貼着用具であって、該用具の本体は開口端部を有する円筒状または円柱状であり、該開口端部はその断面が内周方向に向かってテーパ状に形成されていることを特徴とする、シート貼着用具。
（２）  前記開口端部のテーパ状形状に係る勾配は、０°を超え８０°以下であることを特徴とする、（１）に記載のシート貼着用具。
（３）  前記開口端部のテーパ状形状に係る勾配は、５°を超え６０°以下であることを特徴とする、（１）に記載のシート貼着用具。
（４）  前記開口端部のテーパ状形状に係る勾配は、１０°を超え４５°以下であることを特徴とする、（１）に記載のシート貼着用具。
【００１１】
（５）  前記開口端部の最先端部の断面形状は、これが接するシートの破れ・裂けを防止し得るよう、略円弧状に形成されていることを特徴とする、（１）ないし（４）のいずれかに記載のシート貼着用具。
（６）  前記開口端部には、これが接するシートの破れ・裂けを防止し得るよう、フェルト等の柔軟性部材が覆設されていることを特徴とする、（１）ないし（４）のいずれかに記載のシート貼着用具。
【００１２】
（７）  貼着されたシートに発生した空気だまりを、突くことによって除去し得る針を備えていることを特徴とする、（１）ないし（６）のいずれかに記載のシート貼着用具。
（８）  前記針は、前記本体に内蔵されていることを特徴とする、（７）に記載のシート貼着用具。
（９）  貼着されたシートに発生した空気だまりを、突くことによって除去し得る針を装着できるよう、該針を着脱自在に填め込むことのできる穴部の設けられた針用台座部を備えていることを特徴とする、（１）ないし（６）のいずれかに記載のシート貼着用具。
【発明の効果】
【００１３】
本発明のシート貼着用具は上述のように構成されるため、これによれば、リベットや他の凸状形状を有する表面へのシート貼着を、きれいに、確実に、かつ簡易になすことができる。
【００１４】
従来のリベットブラシと比較した本シート貼着用具の利点を、リベットを有する面への処理を例として挙げれば、次のとおりである。
（Ａ）リベット周端の貼りも、少なくとも実質上完全になすことができる。つまり、リベット周辺にて軽く回すだけの簡便な操作によって、シート貼着をきれいに納めることができる。リベット周辺に隙間を残さず、したがって、従来のようなシートの破れ・裂けと、それによる商品価値低下の問題が解決される。
（Ｂ）無理のない自然な操作によるため、堅い先端でシートをこするようなことがなく、リベットブラシのようにシートに傷を付けることがない。
（Ｃ）リベット打ち込み部分の周辺に生じた微妙なへこみ部分に対するきれいな貼着も、容易に行うことができる。つまり、先端円周部（開口端部）に勾配を設けることによって微妙なへこみ部分を瞬時に貼り込むことができる。さらに開口端部にフェルト等の柔軟材を設けることにより、貼り込み時のシートの破れ・裂けも防止できる。
【００１５】
（Ｄ）本用具を一度回すだけの操作で充分な貼着効果が得られる。
（Ｅ）小さな空気だまりやシワも、残ることがない。
（Ｆ）操作が簡便であるため作業による疲労が少なく、大量処理も問題なく可能である。
【００１６】
（Ｇ）本用具では、被処理部の先端をリベット内側へと押さえ込むため、リベット周辺に空気だまりを生じることがなく、リベットのエッジをきれいに納めることができる。
（Ｈ）ドライヤを用いて熱を加えるとシートがなじんでさらに貼りやすく、熱のために貼り方が雑になったりしわ等が生じるおそれがない。
【００１７】
（Ｉ）軽量・小サイズであり、携帯にも便利である。力のない人でも容易に使用でき、また手になじみやすい形状であるため、使いやすい。
（Ｊ）仮に空気だまりが生じた場合でも、針を設けた構成により、これを除去することができる。
【発明を実施するための最良の形態】
【００１８】
以下、本発明を図面により詳細に説明する。
図１は、本発明のシート貼着用具の基本的な断面構成を示す説明図である。図において本用具１１は、その本体が開口端部１１１を有する円筒状または円柱状であり、該開口端部１１１はその断面が内周方向に向かってテーパ状に形成されていることを、主たる構成とする（上記（１）の発明）。
【００１９】
かかる構成により本用具１１は、本体の開口端部１１１反対側１１２を手で持ち、円形である該開口端部１１１の一部を、その径よりも小サイズの径を有するリベット等の平面視円形凸状物の一外周部の下部にあてて、該開口端部１１１の該リベット等当接部を起点（支点）として、それに連続する該開口端部１１１の縁部を、順次該リベット等の外周部を外側から押圧することによって、リベット等の凸部を有する表面にシートが貼着される（後出図１０、１１参照）。該貼着の作用においては、上述した各効果が得られる。
【００２０】
ここで該開口端部１１１は、処理対象物に押圧される側すなわち内縁側が最先端部となるよう、本体内周方向に向かってテーパ状に形成されているため、上述した作用が円滑になされる。つまり押圧は、シートとリベット等の外周部（最下部）との間に形成される空隙部に対して、外側斜め上方からこれに当接するようになされるが、そのためには、該開口端部１１１に何ら勾配が形成されておらず平坦だったり、あるいはまた勾配は形成されていても、外縁側が最先端部となる形状すなわち、外周方向に向かってテーパ状である場合は、かかる押圧を得ることができないからである。
【００２１】
したがって、「内周方向に向かってテーパ状」とは、換言すれば、勾配の設けられた円形の開口端部の最先端部が内縁側にあることをいう。
【００２２】
本発明で「テーパ状」とは、本体の断面形状が、最先端部に向かって徐々に径が縮小されている状態をいう。
【００２３】
図において、前記開口端部１１１のテーパ状形状に係る勾配は、０°を超え８０°以下とすることができる（上記（２）の発明）。つまり最低限、勾配を有することが、本用具１１の特徴である。望ましくは該勾配は、５°を超え６０°以下、より望ましくは１０°を超え４５°以下とすることができる（上記（３）、（４）の発明）。勾配は、押圧作業の効果・効率、シートの破れ・裂け防止を考慮して、適宜の角度範囲に設計することができる。
【００２４】
図において、本用具１１はその開口端部１１１の最先端部の断面形状が、略円弧状に形成されたものとすることができる（上記（５）の発明）。かかる滑らか形状により、該開口端部１１１による接するシートの一点もしくは狭小領域への圧力の集中を軽減し、シートの破れ・裂けが防止され得る。
【００２５】
図２は、本発明のシート貼着用具の別の構成を示す断面説明図である。図において本用具２１は、前記開口端部２１１に、フェルト等の柔軟性部材２１３が覆設されていることを、主たる構成とする（上記（６）の発明）。これにより、本体の反対側２１２を手で持って行う、上述の該開口端部２１１による押圧の際に、これが接するシートの破れ・裂けが防止され得る。
【００２６】
図３は、図２に示したシート貼着用具の構成例を示す説明図である。図の（ａ）、（ｂ）ように本用具３１は、本体の開口端部３１１にフェルト等の柔軟性部材３１３を覆設することによって構成することができる。フェルト等は柔軟性部材の一例であり、本願はこれに記載されないその他の実施例を放棄するものではなく、種々の条件を考慮して公知の柔軟性部材を適宜選択、使用できることはいうまでもない。
【００２７】
図４は、図３に示したシート貼着用具の断面構成例を示す説明図である。図のように、開口端部３１１の反対側端部は、図１、２とは異なって開放端とすることもできる。
【００２８】
図５は、本発明シート貼着用具の作用をリベットへの使用例により示す説明図である。図示するように本用具３１は、上述したように開口端部３１１が内周方向に向かってテーパ状に形成されているため、リベット９０とシート８０の間に生じ得る隙間に対してこれを除去し得るように、前記柔軟性部材３１３が設けられた該開口端部３１１が当接し、隙間のないきれいな貼着がなされる（図１３による従来例参照）。
【００２９】
図６は、針を設けた本発明シート貼着用具の構成例を示す斜視説明図である。また、
図７は、図６に示す構成例についての断面図である。
これらの図のように本用具４１は、貼着されたシートに発生した空気だまりを、突くことによって除去し得る針４１５を備えた構成とすることができる（上記（７）の発明）。
【００３０】
図８（ａ）、（ｂ）は、図６、７に示した本シート貼着用具の作用を、リベットへの使用例にて示す説明図である。（ａ）のようにリベット９０とシート８０との間に空気だまりが形成されるように貼着がなされた場合であっても、（ｂ）のように本用具の針４１５を該空気だまりに対して刺すことにより、これを除去することができる。
【００３１】
図６、７において該針４１５は、該本体（４１）に内蔵されたものとすることができる（上記（８）の発明）。図示する具体例では、該針４１５が固定して設けられた、キャップ状等の針収容部４１４を、該本体（４１）の一方端部に着脱自在に装着する構成である。
【００３２】
図９は、図６、７に示した本発明シート貼着用具例の（ａ）側面図、平面図ならびに底面図、（ｂ）開口端部方向からの正面図、および（ｃ）同背面図である。
【００３３】
図１０は、本発明シート貼着用具の使用方法例を示す側面図である。また、
図１１は、本発明シート貼着用具の使用方法例を示す平面図である。図１１では、（Ｉ）から（Ｖ）へと使用手順が示されており、また作用を看取しやすいよう、リベット９０は透視されている。これらの図に示すように本用具４１は、下記のように用いることができる。
【００３４】
（Ａ）これを上方からリベット９０にあて、特にリベット９０まわりのシート８０を押さえ込む。
（Ｂ）本体（４１）の開口端部内縁をリベット９０端につけて押圧し、押圧箇所をリベット９０外周上で移動させる。このときの移動方向は、左周り、右周り、いずれ方向でもよい。このとき、用具４１自体を回転させるのではなく  リベット９０外周における押圧箇所を移動させる。
【００３５】
上述要領により、図１１の手順に示すように、（Ｉ）適当な位置への接地、（ＩＩ）右端押さえ込み、（ＩＩＩ）下押さえ込み、（ＩＶ）左押さえ込み、（Ｖ）上押さえ込みの各手順で、本用具４１の押圧をリベット９０周辺に一周移動させて行い、貼着が完了する。
【００３６】
実際の作業例では、ドライヤで１〜２秒間シートを暖めて本用具を一周押圧操作することで、せいぜい数秒間で一処理を完了できる。
【００３７】
本発明シート貼着用具が処理対象とし得るリベット等の凸状物には、種々のサイズ、形状のものがある。これらのサイズ・形状にそれぞれ適合する本シート貼着用具を集合させた組として構成する等のことは適宜実施できることは、いうまでもない。
【００３８】
図１２は、針用台座部を有する本発明シート貼着用具の断面図である。図示するように本シート貼着用具５１は、貼着されたシートに発生した空気だまりを、突くことによって除去し得る針（図示せず）を装着できるよう、該針を着脱自在に填め込むことのできる穴部５１４８の設けられた針用台座部５１４を備えた構成とすることができる（上記（９）の発明）。該針用台座部５１４は、通常、本用具５１の開口部反対側５１２に着脱自在に装着しておける構成をとることができる。
【００３９】
図において、本用具５１への填め込みを行うための填め込み部５１４２は、ネジ式であるが、かかる構成に本発明が限定されるものではなく、後述するような構造など、要するに本用具５１の筒体に対して、不用意に抜けないような、かつ着脱自在な嵌め込みができる構造であればよい。
【００４０】
かかる構成により本シート貼着用具１２は、必要な際に、該針用台座部５１４を本用具５１から取り外し、該穴部５１４８に針を差し込むことができる。差し込んだ針により、貼着されたシートに発生した空気だまりを突いて除去することができる。そして本構成によれば、針は必要な場合にのみ別途用意すればよく、本用具の安全性、与える安心感を増すことができる。
【００４１】
図１３は、針用台座部を有する本発明シート貼着用具の実施例を示す写真図である。なお図においては柔軟性部材５１３Ｂとして、布が使用されている例が示されているが、本発明に係る柔軟性部材がこれに限定されるものではなく、たとえば、開講端部をシリコン樹脂等の柔軟な材料を用いて構成する等のことは、適宜行える。
【００４２】
図１４は、針用台座部を有する本発明シート貼着用具の他の構成例を示す断面図である。図示されるように、前記嵌め込み部６１４２はネジ式ではなく、弾圧的に装着される構造、すなわち少々きつめに筒体５１０Ｂに対して嵌め込めるような構造でもよい。
【産業上の利用可能性】
【００４３】
本発明のシート貼着用具は上述のように構成されているため、広告等の専門分野を始めとして、幅広い産業上の利用性を有する。
【図面の簡単な説明】
【００４４】
【図１】本発明のシート貼着用具の基本的な断面構成を示す説明図である。
【図２】本発明のシート貼着用具の別の構成を示す断面説明図である。
【図３】図２に示したシート貼着用具の構成例を示す説明図である。
【図４】図３に示したシート貼着用具の断面構成例を示す説明図である。
【図５】本発明シート貼着用具の作用をリベットへの使用例により示す説明図である。
【図６】針を設けた本発明シート貼着用具の構成例を示す斜視説明図である。
【図７】図６に示す構成例についての断面図である。
【図８（ａ）】図６、７に示した本シート貼着用具の作用を、リベットへの使用例にて示す説明図である。
【図８（ｂ）】図６、７に示した本シート貼着用具の作用を、リベットへの使用例にて示す説明図である。
【図９】図６、７に示した本発明シート貼着用具例の（ａ）側面図、平面図ならびに底面図、（ｂ）開口端部方向からの正面図、および（ｃ）同背面図である。
【図１０】本発明シート貼着用具の使用方法例を示す側面図である。
【図１１】本発明シート貼着用具の使用方法例を示す平面図である。
【図１２】針用台座部を有する本発明シート貼着用具の断面図である。
【図１３】針用台座部を有する本発明シート貼着用具の実施例を示す写真図である。
【図１４】針用台座部を有する本発明シート貼着用具の他の構成例を示す断面図である。
【図１５】従来例リベットブラシの斜視図である。
【図１６】従来例リベットブラシの作用を示す説明図である。
【符号の説明】
【００４５】
１１、２１、３１、４１…シート貼着用具
１１１、２１１、３１１…開口端部
１１２、２１２、３１２、４１２…開口端部反対側
２１３、３１３、４１３…柔軟性部材
９０…リベット
８０…シート
４１４…針収容部
４１５…針
５１、５１Ｂ、６１…シート貼着用具
５１０Ｂ…筒体
５１１、６１１…開口端部
５１２、６１２…開口端部反対側
５１３Ｂ…柔軟性部材
５１４、５１４Ｂ、６１４…針用台座
５１４２、５１４２Ｂ、６１４２…填め込み部
５１４８、５１４８Ｂ、６１４８…穴部
７０…リベットブラシ
７５…ブラシ部分
Ｓ…隙間
【図１】
2005306485.tif 000003
【図２】
2005306485.tif 000004
【図３】
2005306485.tif 000005
【図４】
2005306485.tif 000006
【図５】
2005306485.tif 000007
【図６】
2005306485.tif 000008
【図７】
2005306485.tif 000009
【図８（ａ）】
2005306485.tif 000010
【図８（ｂ）】
2005306485.tif 000011
【図９】
2005306485.tif 000012
【図１０】
2005306485.tif 000013
【図１２】
2005306485.tif 000014
【図１４】
2005306485.tif 000015
【図１６】
2005306485.tif 000016
【図１１】
2005306485.tif 000017
【図１３】
2005306485.tif 000018
【図１５】
2005306485.tif 000019